(57)【要約】【課題】  ほぼ調整不要で干渉ノイズを低減させる。【解決手段】  レーザーダイオード２０に、バイアス回路２２がバイアス電流を供給する。高周波信号入力端子３４に供給された高周波信号が、レーザーダイオード２０を流れるバイアス電流に重畳される。レーザーダイオード２０に高周波阻止コイル２４を介して直列に可変抵抗器２８が接続されている。可変抵抗器２８は、高周波阻止コイル２４に直列に接続された固定抵抗器３６を有し、これと並列にトランジスタ４０のコレク・タエミッタ導電路と固定抵抗器３８との直列回路が接続されている。トランジスタ４０のベースに、前記高周波信号よりも低い周波数の低周波信号が低周波発振器４６から供給され、トランジスタ４０が低周波信号の周期に応じて導通、非導通を繰り返す。【選択図】        図１
2005347917.tif 000002
【特許請求の範囲】
【請求項１】
発光素子と、
この発光素子にバイアス電流を供給するバイアス回路と、
前記発光素子を流れるバイアス電流に高周波信号を重畳するように前記発光素子に接続された高周波信号入力端子と、
前記発光素子に高周波信号阻止手段を介して直列に接続され、前記高周波信号よりも低い周波数に従って抵抗値が第１の値と第２の値とを交互にとる可変抵抗手段とを、
具備する光送信機。
【請求項２】
請求項１記載の光送信機において、前記発光素子を流れる電流を自動制御する自動制御手段が前記発光素子と直列に接続され、この自動制御手段よりも前記可変抵抗手段の時定数が速い光送信機。
【請求項３】
請求項１記載の光送信機において、前記可変抵抗手段は、前記高周波信号阻止手段を介して前記発光素子に直列に接続された抵抗手段と、この抵抗手段に導電路が並列に接続され、供給された制御信号に応じて導電路が導通または非導通となる半導体スイッチング素子と、前記制御信号を発生する低周波発振手段とを、具備する光送信機。
【発明の詳細な説明】
【技術分野】
【０００１】
本発明は、光信号を伝送する光送信機に関し、特にその光信号の発光に関するものである。
【背景技術】
【０００２】
光送信機は、例えばＣＡＴＶシステムの上り信号の伝送装置として使用されることがある。この光送信機の一例が例えば特許文献１に開示されている。
【０００３】
特許文献１の技術は、バイアス電流によってレーザーダイオードを発振させる際、入力された高周波信号をバイアス電流に重畳することによって、この高周波信号で発振光を直接に変調し、光ファイバーで伝送するものである。特に、高周波信号が供給されていない状態において、バイアス電流に低周波信号を重畳して、発振光のスペクトル幅を広げ、光ファイバー中における散乱光による干渉ノイズを低減させている。特許文献１の技術によれば、バイアス電流に低周波信号を重畳するために、低周波発振器からの低周波信号のレベルをレベル調整器によって調整した後、不要高調波をフィルタで除去し、レーザーダイオードに供給している。
【０００４】
【特許文献１】特開２００２−１９８９１３号公報
【発明の開示】
【発明が解決しようとする課題】
【０００５】
しかし、特許文献１の技術では、低周波信号をバイアス電流に重畳させる構成であるので、低周波信号のレベルをレベル調整器によって適切に調整する必要があり、その調整が面倒であった。
【０００６】
本発明は、ほぼ調整不要で干渉ノイズを低減させることができる光送信機を提供することを目的とする。
【課題を解決するための手段】
【０００７】
本発明による光送信機は、発光素子を有している。発光素子としては、例えばレーザーダイオードまたは発光ダイオードを使用することができる。この発光素子にバイアス回路がバイアス電流を供給する。これによって発光素子は発光する。発光素子を流れるバイアス電流に高周波信号を重畳するように高周波信号入力端子が前記発光素子に接続されている。高周波信号としては、例えばＣＡＴＶ用のテレビジョン放送信号を使用することができる。発光素子に高周波信号阻止手段、例えば高周波チョーク（ＲＦＣ）を介して直列に可変抵抗手段が接続されている。可変抵抗手段は、前記高周波信号よりも低い周波数に従って抵抗値が第１の値と第２の値とを交互にとる。
【０００８】
このように構成された光送信機では、可変抵抗手段が発光素子に高周波信号阻止手段を介して接続されているので、可変抵抗手段の抵抗値が第１の値となるときと、第２の値となるときとで、発光素子のバイアス電流自体が異なった値となり、高周波信号が供給されていないときに発光素子が発生する無変調の光のスペクトル幅を広くすることができ、この無変調の光が光ファイバーを伝送されて復調されたとき、この復調信号が他の光送信機から送信された変調光信号の復調信号に対して干渉が少なくなる。しかも、このバイアス電流の変化は、可変抵抗手段の抵抗値の変化に基づいて生じているので、低周波信号をバイアス電流に重畳させる場合に必要なレベル調整が不要である。また、そのバイアス電流は高周波信号の周波数よりも低い周波数で変化するので、高周波信号が供給されているときに、バイアス電流自体を変化させても、高周波信号によって変調された変調光信号に対する影響は少ない。
【０００９】
発光素子を流れる電流を自動制御する自動制御手段を発光素子と直列に接続することができる。この自動制御手段としては、例えば発光素子の光量を一定とするもの、発光素子の温度を一定とするもの或いは光量及び温度を一定するものを使用することができる。光量を一定とする場合には、発光素子を流れる電流を検出し、この検出信号が予め定めた基準信号と一致するように発光素子を流れる電流を制御する。発光素子の温度を一定とする場合には、発光素子を温度を温度検出手段によって検出し、この温度検出手段からの検出信号が予め定めた基準信号と一致するように発光素子を流れる電流を制御する。この自動制御手段よりも前記可変抵抗手段の時定数が速く設定されている。可変抵抗手段の時定数の方が自動制御手段の時定数よりも速いので、バイアス電流は可変抵抗手段の抵抗値変化に応じて変化する。
【００１０】
可変抵抗手段は、前記高周波信号阻止手段を介して前記発光素子に直列に接続された抵抗手段を有するものとできる。この場合、この抵抗手段に半導体スイッチング素子の導電路が並列に接続され、供給された制御信号に応じて半導体スイッチング素子の導電路が導通または非導通となる。前記制御信号を低周波発振手段が発生する。なお、半導体スイッチング素子の導電路に直列に別の抵抗手段を接続することもできる。半導体スイッチング素子が導通状態にあるか、非導通状態にあるかによって、可変抵抗手段の抵抗値が変化し、バイアス電流が変化する。
【発明の効果】
【００１１】
以上のように、本発明によれば、バイアス電流自体を可変抵抗手段の抵抗値の変化によって変化させているので、低周波信号のレベル調整が不要であり、回路調整が簡単になる。
【発明を実施するための最良の形態】
【００１２】
本発明の１実施形態の光送信機２が、例えば、図２に示すようなＣＡＴＶ装置の上り信号伝送システムに複数台使用される。各光送信機２は、光信号を高周波信号で変調した変調光信号を、光ファイバー４を介してそれぞれヘッドエンドに設置されている光受信機６に供給する。高周波信号は搬送波信号をベースバンド信号で変調したものである。光受信機６は、変調光信号を元の高周波信号に変換する。変換された高周波信号は、増幅器８によってそれぞれ増幅され、混合器１０を介して復調器１２に供給され、復調器１２でベースバンド信号に復調される。光送信機２は、ポーリングによって呼び出されたものが、変調光信号を送信する。呼び出されていない他の光送信機２は、無変調の光信号を光ファイバー４に伝送している。そのため、干渉ノイズが多くなる可能性がある。
【００１３】
この干渉ノイズを減少させてＣ／Ｎ比を向上させるように光送信機２が構成されている。図１に示すように、光送信機２は、発光素子、例えばレーザーダイオード（ＬＤ）２０を有している。レーザーダイオード２０には、バイアス回路２２からバイアス電流が供給され、このバイアス電流が供給されていることにより、レーザーダイオード２０は発光し、その光は光ファイバー４を介して伝送される。
【００１４】
レーザーダイオード２０からのバイアス電流は、図１に破線で示すように高周波信号阻止手段、例えば高周波阻止コイル２４及びバイパスコンデンサ２６、可変抵抗手段、例えば可変抵抗器２８並びに自動制御手段、例えば自動電力制御回路（ＡＰＣ）３０を介して基準電位点、例えば接地電位点に流れる。
【００１５】
高周波阻止コイル２４とレーザーダイオード２０との接続点には、直流阻止コンデンサ３２を介して高周波信号入力端子３４が接続されている。この高周波信号入力端子３４には、高周波信号、例えば適当なＭＨｚ帯周波数の搬送波信号をベースバンド信号で変調した変調信号が供給されている。レーザーダイオード２０は、バイアス電流によって適切なバイアスが与えられており、このバイアスに対して高周波信号が重畳されるので、レーザーダイオード２０は変調光信号を光ファイバー４に伝送する。
【００１６】
可変抵抗器２８では、高周波阻止コイル２４と自動電力制御回路３０との間に直列に固定抵抗器３６が接続されている。この固定抵抗器３６と高周波阻止コイル２４との接続点と接地電位点との間に、固定抵抗器３８と半導体スイッチング素子、例えばＮＰＮバイポーラトランジスタ４０（以下トランジスタ４０と称する。）のコレクタ・エミッタ導電路が直列に接続されている。トランジスタ４０が導通しているときと、トランジスタ４０が非導通のときとでは、可変抵抗器２８の抵抗値が変化し、バイアス電流が変化する。
【００１７】
このトランジスタ４０のベースと接地電位点との間にバイアス抵抗器４２が接続され、さらにベースはバイアス抵抗器４４を介して低周波信号発振手段、例えば低周波発振器（ＬＯ）４６に接続されている。低周波発振器４６は、高周波信号入力端子３４に供給される高周波信号よりも格段に低い周波数、例えば１０ＫＨｚ乃至数百ＫＨｚの周波数のパルス信号を常時出力する。そして、このパルス信号が高（Ｈ）レベルのとき、トランジスタ４０が導通状態となり、パルス信号が低（Ｌ）レベルのとき、トランジスタ４０が非導通状態となる。
【００１８】
自動電力制御回路３０は、レーザーダイオード２０の光量を検出し、この光量が予め定めた値となるように内蔵するトランジスタの導電度を変更している。この自動電力制御回路３０の時定数よりも、可変抵抗器２８の時定数（周波数）が速くなるように、両者の時定数が設定されている。
【００１９】
この光送信機２では、低周波発振器４６からの低周波信号に基づいて、トランジスタ４０が常に導通、非導通を低周波信号の周波数に基づいて繰り返している。高周波信号入力端子３４に高周波信号が供給されている状態では、トランジスタ４０の導通、非導通の周波数よりも高周波信号の周波数の方が高いので、レーザーダイオード２０の発光にトランジスタ４０の導通、非導通は殆ど影響を与えない。
【００２０】
高周波信号入力端子３４に高周波信号が供給されていない状態では、トランジスタ４０の導通、非導通に従ってバイアス電流が増減を繰り返す。その結果、レーザーダイオード２０の発光状態が変化する。これによってレーザーダイオード２０の発振波長がわずかに変化する。光ファイバー６でレーザー光を伝送する場合、光ファイバー６の僅かな不純物等によってレーリー散乱光が発生する。このレーリー散乱光同士、レーリー散乱光と高周波信号で変調された変調光信号とが干渉し、干渉ノイズを発生する。特に、光送信機２から無変調の光信号が伝送されている場合、この無変調の光信号の復調信号が他の光送信機からの変調光信号の復調信号に干渉することもある。この実施形態では、レーザーダイオード２０の光のスペクトル幅が拡張されているので、干渉ノイズが低減されている。
【００２１】
特に、この実施の形態では、バイアス電流に低周波信号を重畳させるのではなく、バイアス電流自体をトランジスタ４０の導通、非導通によって変化させているので、低周波信号のレベル調整が不要である。
【００２２】
なお、自動電力制御回路３０の時定数が可変抵抗器２８の時定数よりも小さいので、自動電力制御回路３０を設けていても、可変抵抗器２８の抵抗値の変化に従ってバイアス電流は変化する。
【００２３】
上記の実施の形態では、発光素子としてレーザーダイオード２０を利用したが、これに限ったものではなく、例えば発光ダイオードを使用することもできる。また、上記の実施の形態では、自動電力制御回路を使用したが、これに限ったものではなく、例えばレーザーダイオードの温度を一定の温度に制御する自動温度制御回路を使用することもできるし、自動電力制御回路と自動温度制御回路との双方を使用することもできる。或いは、自動電力制御回路や自動温度制御回路を除去することもできる。また、上記の実施形態では、本発明をＣＡＴＶシステムの上り信号の伝送装置に実施したが、これに限ったものではなく、他の光信号の伝送装置に実施することができる。
【図面の簡単な説明】
【００２４】
【図１】本発明の１実施形態の光送信機のブロック図である。
【図２】図１の光送信機を使用したＣＡＴＶ装置における上り信号伝送装置のブロック図である。
【符号の説明】
【００２５】
２  光送信機
４  光ファイバー
２０  レーザーダイオード（発光素子）
２４  高周波阻止コイル（高周波阻止手段）
２８  可変抵抗器（可変抵抗手段）
３０  自動電力制御回路（自動制御手段）
【図１】
2005347917.tif 000003
【図２】
2005347917.tif 000004